(57)【特許請求の範囲】
【請求項１】
内燃機関を始動させるスターター装置であって、
当該スターター装置は、スターター制御のための接続端子（Ｋ５０）と、電気的なスターターモータ（１３）とを有しており、電気的な給電線（１６）が、前記スターター装置（１０）のプラス側接続端子（Ｋ３０）から、前記スターターモータ（１３）のプラス側接続端子（Ｋ４５）へと存在しており、前記スターターモータ（１３）は、電気的帰線（２５）を、前記スターター装置（１０）のマイナス側接続端子（Ｋ３１）へと有している形式のものにおいて、
スターター制御のための前記接続端子（Ｋ５０）が電気的に零電位の場合に、前記帰線（２５）がスイッチ（２８）によって中断され、当該スイッチのスイッチングコンタクト（４７）は、ソレノイドリレー（１９）の保持巻き線（４０）の電流回路を前記電気的帰線（２５）を介して前記マイナス側接続端子（Ｋ３１）に接続し、これによって前記ソレノイドリレー（１９）のスイッチングコンタクト（２２）が前記スイッチ（２８）の前記スイッチングコンタクト（４７）の後に接続され、これによって電気的な給電線（１６）が前記スターター装置（１０）のプラス側接続端子（Ｋ３０）から前記スターターモータ（１３）のプラス側接続端子（Ｋ４５）へと接続される、
ことを特徴とする、内燃機関を始動させるスターター装置。
【請求項２】
前記帰線（２５）は集結線路であって、当該集結線路は保持巻き線（４０）のマイナス側接続端子（４９）および前記スターターモータ（１３）のマイナス側接続端子（４６）と導電性に接続されている、請求項１記載のスターター装置。
【請求項３】
前記スターターモータ（１３）の前記マイナス側接続端子（４６）には、回転子の整流子と導電性に接続されている複数のマイナス側ブラシが電気的に接続されている、請求項１または２記載のスターター装置。
【請求項４】
前記スターターモータ（１３）は、磁極片の周りに配置されている励磁コイルを備えた電気的に励起される固定子を有しており、当該励磁コイルはスターターモータ（１３）のマイナス側接続端子（４６）に電気的に接続されている、請求項１から３までのいずれか１項記載のスターター装置。
【請求項５】
前記スターターモータ（１３）は、永久磁石（９３）を備えている固定子を有している、請求項１から３までのいずれか１項記載のスターター装置。
【請求項６】
前記スイッチ（２８）は、前記帰線（２５）において、電磁コイル（５２）を備えた電磁スイッチであって、前記電磁コイルは、自身のマイナス側接続端子（５５）で前記スターター装置（１０）の前記マイナス側接続端子（Ｋ３１）と電気的に接続されており、自身のプラス側接続端子（５８）で、スターター制御のための前記接続端子（Ｋ５０）と電気的に接続されている、請求項１から５までのいずれか１項記載のスターター装置。
【請求項７】
前記スイッチ（２８）は、前記帰線（２５）において、電磁コイル（５２）を備えた電磁スイッチであって、前記電磁コイルは、自身のマイナス側接続端子（５５）で前記スターター装置（１０）の前記マイナス側接続端子（Ｋ３１）と電気的に接続されており、自身のプラス側接続端子（５８）で、前置スイッチ（６０）によって中断される電気線路（６３）を介して、前記スターター装置（１０）の前記接続端子（Ｋ５０）と電気的に接続されている、請求項１から４までのいずれか１項記載のスターター装置。
【請求項８】
前記スイッチ（２８）は、前記帰線（２５）において、電磁コイル（５２）を備えた電磁スイッチであって、前記電磁コイルは、自身のマイナス側接続端子（５５）で前記スターター装置（１０）の前記マイナス側接続端子（Ｋ３１）と電気的に接続されており、自身のプラス側接続端子（５８）で、前置スイッチ（６０）によって中断される電気線路（８２）を介して、前記スターター装置（１０）の前記プラス側接続端子（Ｋ３０）と電気的に接続されており、
前記前置スイッチ（６０）によって中間スイッチ（７０）が駆動制御され、当該中間スイッチは電磁コイル（７３）を備えている電磁スイッチであって、前記電磁コイルは、自身のマイナス側接続端子（７６）で前記スターター装置（１０）の前記マイナス側接続端子（Ｋ３１）と電気的に接続されており、自身のプラス側接続端子（７９）で、前記前置スイッチ（６０）によって中断される電気線路を介して、パワー電流供給のためのプラス側接続端子（Ｋ３０）と電気的に接続されている、請求項１から４までのいずれか１項記載のスターター装置。
【請求項９】
前記スイッチ（２８、６０、７０、５９）は電子スイッチ（１００）として構成されている、請求項１から８までのいずれか１項記載のスターター装置。
【請求項１０】
前記スターター装置（１０）の前記マイナス側接続端子（Ｋ３１）は、前記スターター装置のハウジングに対して絶縁されている、請求項１から９までのいずれか１項記載のスターター装置。
【発明の詳細な説明】
【技術分野】
【０００１】
【図面の簡単な説明】
【０００２】
【図１】スターター装置の概略図
【図２】スターター装置の第１の変形
【図３】スターター装置の別の変形
【図４】スターターモータの種々の構成
【図５】スターター装置
【０００３】
図１は、図示されていない内燃機関を始動させる、概略的に示されているスターター装置１０を示している。これは接続端子Ｋ５０（端子５０）を、スターター制御のために有している。スターター装置１０は、電気的なスターターモータ１３を有している。このスターターモータは図示されていないピニオンを駆動する。このピニオンはスタート時に、内燃機関の歯車のリムに噛み合う。電気的な給電線１６が、スターター装置１０のプラス側接続端子Ｋ３０（端子３０）から、スターターモータ１３のプラス側接続端子Ｋ４５（端子４５）へと存在している。これは、ソレノイドスイッチ（Einrueckrelais）１９ないしはそのスイッチングコンタンクト２２によってスイッチングされる。スターターモータ１３から、電気的な、周囲に対して絶縁されている帰線２５が、スターター装置１０のマイナス側接続端子Ｋ３１（端子３１）へと続いている。スターター制御のための接続端子Ｋ５０が電気的に零電位（spannungsfreiem）の場合には、マイナス側接続端子Ｋ３１へのスターターモータ１３からの帰線２５はスイッチ２８によって中断される。
【０００４】
図１に記載されているスターター装置１０は次のように構成されている。すなわち、スイッチ２８がアース帰線２５において、電磁コイル５２を伴う電磁スイッチ２８であるように構成されている。このコイルは、自身のマイナス側接続端子５５によって、スターター装置１０のマイナス側接続端子Ｋ３１と電気的に接続されており、自身のプラス側接続端子５８によって、スイッチ５９と電気的に接続されている。スターター装置１０のマイナス側接続端子（Ｋ３１）は、スターター装置のハウジングに対して電気的に絶縁されている。
【０００５】
スタートスイッチ３１の操作によって、同時にまたはほぼ同時に、スイッチ５９によって、電磁コイル５２ないしはそのプラス側接続端子５８が、バッテリー３４の陽極６１と接続される。スタートスイッチ３１とスイッチ５９はここでは例において、結合されているスイッチとして構成されている。従って、スタートスイッチ３１の操作によって、スイッチ５９が同時に閉成される。これによって、通電されるコイル５２は、スイッチングコンタクト４７を閉じる。従って、スターターモータ１３のマイナス側の接続端子４６は、スターター装置１０のマイナス側接続端子Ｋ３１（端子３１）のポテンシャルと電気的に接続されている。スタートスイッチ３１の操作（閉成）によって、接続端子Ｋ５０にも、スイッチ２８のプラス側接続端子５８にも、正の電気的ポテンシャルが印加される。これはバッテリー３４によって供給される。同時に、保持巻き線４０と引き込み巻き線４３が通電される。これによってスイッチングコンタクト２２が、スイッチ２８のスイッチング後に閉成される。これによって、スターターモータ１３のプラス側接続端子Ｋ４５（端子４５）に正の電気的ポテンシャルが印加される。端子Ｋ３０には、図１に示されているように、プラスポテンシャルが印加される。
【０００６】
この例では、帰線２５は集結線路である。この線路は、保持巻き線４０のマイナス側の接続端子４９およびスターターモータ１３のマイナス側接続端子４６と導電性に接続されている。
【０００７】
スターターモータ１３のマイナス側接続端子４６には、回転子の整流子と導電性接続されている複数のマイナス側のブラシが電気的に接続されている。
【０００８】
スターターモータ１３に、磁極片の周りに配置されている励起コイルを有する電気的に励起される固定子が設けられている場合、これらは間接的にプラス側のブラシおよびマイナス側のブラシを介して、並びにその間に配置されている整流子を介して、スターターモータ１３のマイナス側の接続端子４６に接続される。スターターモータ１３が永久磁石を備えた、永久磁石によって励起されるモーターとして構成されている場合には、回転子のみが、スターターモータ１３のマイナス側接続端子４６に電気的に接続される。
【０００９】
図２は、第１の実施例の変形において、スターター装置１０を示している。ここではスイッチ２８は、帰線２５において、電磁コイル５２を備えている電磁スイッチ２８である。このコイルは自身のマイナス側接続端子５５で、スターター装置１０のマイナス側接続端子Ｋ３１と接続されており、自身のプラス側接続端子５８で、前置スイッチ６０によって中断可能な電気的線路６３を介して、スターター装置１０の接続端子Ｋ５０と電気的に接続されている。前置スイッチ６０は２つのスイッチングブリッジ９１および９２を有しており、これらのスイッチングブリッジは、前置スイッチ６０の通電されたコイル９４によって同時にスイッチングされる。スイッチングブリッジ９１は、スイッチ２８をスイッチオンし、スイッチングブリッジ９２はスイッチ１９およびスイッチ１９のコイル４０および４３をスイッチオンする。
【００１０】
図３は、スターター装置１０の別の変形を示している。ここでは、前置スイッチ６０によって、中間スイッチ７０が駆動制御可能である。中間スイッチは、電磁コイル７３を備えた電磁スイッチである。この電磁コイルは、自身のマイナス側接続端子７６でスターター装置１０のマイナス側接続端子Ｋ３１と接続されており、自身のプラス側接続端子７９で、前置スイッチ６０によって中断可能な電気線路８２を介して、パワー電流供給のためのプラス側接続端子Ｋ３０と電気的に接続されている。この電気線路８２は、スイッチ６０のスイッチングブリッジ９１、ソレノイドスイッチ１９のコイル４０および４３によって、スイッチ７０のスイッチングブリッジ９２を介してスイッチオンされる。図３は、スターターモータ１３を、直巻電動機として示している。これは択一的に、永久磁石９３を備えた永久磁石によって励起されるモーター９０としても構成可能である（図４ａを参照）。図１および２に示されている実施例を、図４ｂに示された直巻電動機によって構成することもできる。
【００１１】
帰線２５におけるスイッチ２８は電磁スイッチとして構成される必要はなく、図４ｃに示されているように、電子スイッチ１００としても構成可能である。同様のことが、スイッチ５９、前置スイッチ６０および中間スイッチ７０にも当てはまる。
【００１２】
図５では、図３の実施例に関連して、スターター装置１０が比較的大きい面積の駆動装置収容部１０３を有している。ここには、ソレノイドスイッチ１９だけでなく、帰線２５における前置スイッチ６０、中間スイッチ７０およびスイッチ２８も固定されている。
【００１３】
各実施例において、マイナス側接続端子Ｋ３１は、スタートスイッチ３１の開放の後、およびスイッチ２８がスイッチオフされた状態に移行した後、スターター装置１０のモーター１３ともはや接触接続しない。従って、スターター装置１０はこの箇所で、継続的に２０ｋオームを越える、むしろ５０ｋオームを越える絶縁抵抗を有している。
【図１】
0005409618.tif 000002
【図２】
0005409618.tif 000003
【図３】
0005409618.tif 000004
【図４ａ】
0005409618.tif 000005
【図４ｂ】
0005409618.tif 000006
【図４ｃ】
0005409618.tif 000007
【図５】
0005409618.tif 000008